【手続補正書】
【提出日】平成19年9月13日(2007.9.13)
【手続補正１】
【補正対象書類名】特許請求の範囲
【補正対象項目名】全文
【補正方法】変更
【補正の内容】
【特許請求の範囲】
【請求項１】
成分（Ａ）、成分（Ｂ）及び所望により成分（Ｃ）を含む添加剤混合物であって、
成分（Ａ）が少なくとも一種の次式（Ｉ）：
【化１】
2007507570.tif 000001
［式中、
ｐは０又は１を表わし、
ｍ及びｎは互いに独立して整数０ないし３を表わし、そして
基Ｒは互いに独立して炭素原子数１ないし８のアルキル基、炭素原子数１ないし８のアルコキシ基、ヒドロキシ基、ハロゲン原子、炭素原子数１ないし８のアルキルチオ基、炭素原子数１ないし８のアルキルスルホキシ基を表わし、或いは、二つの基Ｒは、不飽和の母環の二つの隣接する炭素原子と一緒になって、５−ないし７−員の炭素環式又はヘテロ環式環を形成する。］で表わされる化合物であり、
成分（Ｂ）が少なくとも１種の次式（ＩＩ）：
【化２】
2007507570.tif 000002
［式中、
ｘ及びｙは互いに独立して整数２ないし１０を表わし、
基Ａ1 、基Ａ2 及び基Ａ3 は互いに独立して炭素原子数１ないし１０のアルキル基、非置換又は１個ないし３個の炭素原子数１ないし１０のアルキル基により置換された炭素原子数５ないし１２のシクロアルキル基；非置換又は１個ないし３個の炭素原子数１ないし１０のアルキル基により置換されたフェニル基；或いは、炭素原子数７ないし１２のフェニルアルキル基を表わし、そして
基Ａ2 及び基Ａ3 は更に水素原子を表わすが、
但し、基Ａ1 及び基Ａ2 の少なくとも一つは分岐鎖状の炭素原子数３ないし１０のアルキル基、非置換又は１個ないし３個の炭素原子数１ないし１０のアルキル基により置換された炭素原子数５ないし１２のシクロアルキル基；非置換又は１個ないし３個の炭素原子数１ないし１０のアルキル基により置換されたフェニル基；或いは炭素原子数７ないし１２のフェニルアルキル基を表わす。］で表わされる化合物であり、そして
成分（Ｃ）が潤滑剤又は潤滑剤混合物である、添加剤混合物。
【請求項２】
成分（Ａ）が少なくとも一種の次式（Ｉ−１）、（Ｉ−２）及び（Ｉ−３）：
【化３】
2007507570.tif 000003
で表わされる化合物であり、そして
成分（Ｂ）が次式（ＩＩ−１）：
【化４】
2007507570.tif 000004
で表わされる化合物であり、そして
成分（Ｃ）が、フィッシャー−トロプシュワックス、高圧ポリエチレンワックス、チーグラー−ナッタポリエチレンワックス、メタロセンポリエチレンワックス、チーグラー−ナッタポリプロピレンワックス並びにステアラミド、エルカミド及びオレアミドからなる群から選択された少なくとも一種の潤滑剤である、請求項１記載の添加剤混合物。
【請求項３】
成分（Ａ）、成分（Ｂ）及び成分（Ｄ）並びに所望により成分（Ｃ）を含む請求項１記載の添加剤混合物であって、前記成分（Ｄ）が前記成分（Ｂ）と異なる少なくとも一種の酸化防止剤である、添加剤混合物。
【請求項４】
成分（Ａ）が次式（Ｉ−２）：
【化５】
2007507570.tif 000005
で表わされる化合物であり、
成分（Ｂ）が次式（ＩＩ−１）：
【化６】
2007507570.tif 000006
で表わされる化合物であり、そして
成分（Ｄ）が次式（ＩＩＩ−１）：
【化７】
2007507570.tif 000007
で表わされる化合物である、請求項３記載の添加剤混合物。
【請求項５】
成分（Ａ）、成分（Ｂ）及び成分（Ｄ）並びに所望により成分（Ｃ）及び所望により、脂肪酸の金属（Ｉ）塩又は金属（ＩＩ）塩、金属（ＩＩ）酸化物、ジヒドロタルサイト、ホスフィット、ホスホナイト、有機スルフィド及び有機ジスルフィドからなる群から選択
された一種又はそれより多くの別の成分を含む、請求項３記載の添加剤混合物。
【請求項６】
成分（Ｉ）及び成分（ＩＩ）を含む組成物であって、
前記成分（Ｉ）がポリプロピレンのホモポリマー、ランダムコポリマー、交互又はセグメント化されたコポリマー、ブロックコポリマー或いはポリプロピレンと他の合成ポリマーとのブレンドであり、そして
前記成分（ＩＩ）が請求項１記載の添加剤混合物である組成物。
【請求項７】
ポリプロピレンのホモポリマー、ランダムコポリマー、交互又はセグメント化されたコポリマー、ブロックコポリマー或いはポリプロピレンと他の合成ポリマーとのブレンドを清澄化する方法であって、請求項１記載の添加剤混合物をそれに配合することからなる方法。
【請求項８】
成分（Ａ’）及び成分（Ｃ’）を含む添加剤混合物であって、
前記成分（Ａ’）が次式（Ｉ−１）：
【化８】
2007507570.tif 000008
で表わされる化合物であり、そして
前記成分（Ｃ’）が合成ワックス、モンタン−エステルワックス、パラフィンワックス、ステアラミド及びオレアミドからなる群から選択された少なくとも一種の潤滑剤であるか、或いは、
前記成分（Ａ’）が次式（Ｉ−２）：
【化９】
2007507570.tif 000009
で表わされる化合物であり、そして
前記成分（Ｃ’）が合成ワックス、モンタン−エステルワックス、パラフィンワックス、ステアラミド、エルカミド及びオレアミドからなる群から選択された少なくとも一種の潤滑剤である添加剤混合物。
【請求項９】
成分（Ｉ’）及び成分（ＩＩ’）を含む組成物であって、
前記成分（Ｉ’）がポリプロピレンのホモポリマー、ランダムコポリマー、交互又はセグメント化されたコポリマー、ブロックコポリマー或いはポリプロピレンと他の合成ポリマーとのブレンドであり、そして
前記成分（ＩＩ’）が請求項８記載の添加剤混合物である組成物。
【請求項１０】
ポリプロピレンのホモポリマー、ランダムコポリマー、交互又はセグメント化されたコポリマー、ブロックコポリマー或いはポリプロピレンと他の合成ポリマーとのブレンドを清澄化する方法であって、請求項８記載の添加剤混合物をそれに配合することからなる方法。
【請求項１１】
成分（Ａ”）及び成分（Ｃ”）を含む添加剤混合物であって、
前記成分（Ａ”）が次式（Ｉ−３）：
【化１０】
2007507570.tif 000010
で表わされる化合物であり、そして
前記成分（Ｃ”）がステアラミド及びオレアミドからなる群から選択されたものである添加剤混合物。
【請求項１２】
成分（Ｉ”）及び成分（ＩＩ”）を含む組成物であって、
前記成分（Ｉ”）がポリプロピレンのホモポリマー、ランダムコポリマー、交互又はセグメント化されたコポリマー、ブロックコポリマー或いはポリプロピレンと他の合成ポリマーとのブレンドであり、そして
前記成分（ＩＩ”）が請求項１１記載の添加剤混合物である組成物。
【請求項１３】
ポリプロピレンのホモポリマー、ランダムコポリマー、交互又はセグメント化されたコポリマー、ブロックコポリマー或いはポリプロピレンと他の合成ポリマーとのブレンドを清澄化する方法であって、請求項１１記載の添加剤混合物をそれに配合することからなる方法。
【請求項１４】
成分（Ｉ’’’）、成分（Ａ’’’）及び成分（Ｃ’’’）を含む組成物であっ
て、
前記成分（Ｉ’’’）がポリプロピレンのホモポリマーであるか、或いは少なくとも
７５質量％のプロピレンとエチレンとの、或いは直鎖状又は分岐鎖状ブテン、直鎖状又は分岐鎖状ペンテン、直鎖状又は分岐鎖状ヘキセン及び直鎖状又は分岐鎖状オクテンから選択された他のα−オレフィンコモノマーとの共重合により製造されたポリプロピレンコポリマーであり、
前記成分（Ａ’’’）が次式（Ｉ−３）：
【化１１】
2007507570.tif 000011
で表わされる化合物であり、そして
前記成分（Ｃ’’’）がフィッシャー−トロプシュワックス、高圧ポリエチレンワッ
クス、チーグラー−ナッタポリエチレンワックス、メタロセンポリエチレンワックス、チーグラー−ナッタポリプロピレンワックス、モンタン−エステルワックス、パラフィンワックス、ステアラミド、エルカミド及びオレアミドからなる群から選択されたものである組成物。
【請求項１５】
請求項１、請求項８又は請求項１１記載の添加剤混合物をポリマーに配合し且つ分散させることからなる、ポリマーの加工性を改良する方法。
【請求項１６】
請求項１４において定義された成分（Ａ’’’）及び成分（Ｃ’’’）をポリマー
に配合し且つ分散させることからなる、ポリマーの加工性を改良する方法。